(57)【要約】【課題】帆立貝の養殖で、成長後の帆立貝の水揚げ時に付着物の雪崩現象的な落下を防止し、帆立貝の水揚げ効率を向上したい。【解決手段】ロープ１に係止具４を係止し、係止具４の両端部に帆立貝５，５を係止しして吊り下げて一単位の帆立貝養殖単位６を構成し、この一単位の帆立貝養殖単位６を多数単位ロープの長さ方向に所定間隔で係止し、このロープを海中に垂下し、帆立貝を養殖する帆立貝の養殖法で、帆立貝養殖単位のうち、海面に近い上位の帆立貝養殖単位の下側に、ロープの径方向外方に延びる受け部材１７を取り付け、帆立貝の生育後の水揚げ時に、海面から露出した上位の帆立貝養殖単位のロープからの脱落を、受け部材１７で受けるようにした帆立貝養殖水揚げ時の落下防止方法。【選択図】図８
2011083221.tif 000002
【特許請求の範囲】
【請求項１】
ロープに係止具を係止し、この係止具の両端部に帆立貝を係止しして吊り下げて一単位の帆立貝養殖単位を構成し、この一単位の帆立貝養殖単位を多数単位ロープの長さ方向に所定間隔で係止し、このロープを海中に垂下し、帆立貝を養殖する帆立貝の養殖法において、
前記帆立貝養殖単位のうち、海面に近い上位の帆立貝養殖単位の下側に、ロープの径方向外方に延びる受け部材を取り付け、
帆立貝の生育後の水揚げ時に、海面から露出した上位の帆立貝養殖単位のロープからの脱落を、前記受け部材で受けるようにした、
ことを特徴とする帆立貝養殖水揚げ時の落下防止方法。
【請求項２】
前記海面に近い帆立貝養殖単位は、海面の波浪による上下動の影響を受け易いロープ上部の１単位または複数単位であり、この１単位または複数単位の養殖帆立貝単位の下側に前記受け部材を取り付けるようにしたことを特徴とする請求項１に記載の帆立貝養殖水揚げ時の落下防止方法。
【請求項３】
前記受け部材は、前記ロープにその断面からみてＩ形／十形に貫通・保持させたペグまたは、前記ロープに取り付けられた漏斗状部材であることを特徴とする請求項１、または請求項２に記載の帆立貝養殖水揚げ時の落下防止方法。
【発明の詳細な説明】
【技術分野】
【０００１】
本発明は、ロープに係止具を介して帆立貝の稚貝を所定スパンで係止して吊り下げ支持し、このロープを海中に投入し、海中で帆立貝の成長を促し、帆立貝を養殖する帆立貝養殖において、経時後、海中からロープを引き上げて生育した帆立貝を水揚げする際に、雑物の付着により重量が増大することで発生する係止具の破断、これに起因する帆立貝の落下を防止する方法に関するものである。
【背景技術】
【０００２】
ロープの長さ方向に直交する方向に係止ピンを所定間隔で貫通・保持させ、係止ピンの両端部の抜止部に帆立貝（稚貝）の耳片を係止し、海中にロープを垂下し、帆立貝を養殖する帆立貝養殖法は従来から行われている。
かかる帆立貝養殖に用いられる係止ピンは従来から知られている。
【先行技術文献】
【特許文献】
【０００３】
【特許文献１】特許第３３７５５０６号公報
【発明の概要】
【発明が解決しようとする課題】
【０００４】
図１５〜図１９は、帆立貝養殖法の説明図である。
図１５に示すように、ロープ１００に係止ピン１０１…（…は複数を表す。以下同じ）を所定間隔を開けて貫通保持させ、係止ピン１０１の両端部に帆立貝１０２の稚貝の耳片を係止し、爾後、このロープを海中に垂下して養殖を行うものである。
ロープ１００は径が６〜８ｍｍで、長さが１０〜１５ｍであり、７〜８ｃｍ長の係止ピンを１０〜１３ｃｍピッチでロープに、その長さ方向に直交する方向に貫通・保持させ、各係止ピンの両端部に帆立貝１０２の耳片を係止・保持する。
【０００５】
図１６は、帆立貝の養殖状態を示す説明図である。
両端部をアンカーロープ１０３，１０３に結束した横ロープ１０４を水平に架け渡し、この横ロープ１０４に長さ方向（横方向）に間隔を開け、複数本のロープ１００…の上端部を結束し、このロープ１００…を平行に海中に垂らす。
各ロープ１００…には、帆立貝１０２…が、長さ方向に所定ピッチで離間して係止ピンにより複数組み係止、保持されている。
【０００６】
横ロープ１０４には所定間隔で複数の浮き１０５…を結束し、横ロープ１０４を海面下の所定深さに保持し、横ロープ１０４の両端部とアンカーロープ１０３，１０３の結束部位には浮き１０６，１０６を繋げ、浮き１０６，１０６は上半部が海面上に露出しており、浮き１０６，１０６の存在で、海面における養殖箇所の目印とする。
このように、海中に縦に帆立貝の稚貝をロープを介して垂下して侵浸し、帆立貝の養殖を行う。
養殖期間は１０ヶ月〜１２ヶ月である。
【０００７】
ところで、図１６に示したように、ロープに係止具で保持された帆立貝を、ロープを介して海中に垂下・保持した状態で養殖を行うが、垂下したロープや帆立貝に大量の付着物（成長した帆立貝及び雑物）が付着する。
即ち、図１７に示すように、ロープ１００や帆立貝１０２にイガイ（ヒルガイ）、フジツボ、ホヤ等の雑物１０７が経時的に付着する。
雑物は経時的に成長し、帆立貝を含むロープは、付着した雑物１０７により、場合によっては電信柱のように太くなり、その太さは３０ｃｍ〜４０ｃｍ程度にも達する場合がある。
【０００８】
図１８は、帆立貝の水揚げ状態を示す説明図である。
船１０８の舷側１０８ａに配設した巻揚機１０９、巻揚ガイド１１０でロープ１００を巻き揚げ、ロープ１００に係止具１０１で係止・保持された帆立貝１０２を水揚げする。  この水揚げに際し、帆立貝１０２及びロープ１００に付着した雑物１０７も一緒に引き上げられることとなる。
【０００９】
ところで、ロープ及び成長した帆立貝に付着した大量の付着物はその重量が大きい。
水揚げ時に、ロープを海面上に引き上げた際には、水中とは異なり、生育帆立貝、付着した雑物からなる付着物は浮力を失う。
その結果、付着物の荷重により、海面上に引き上げられた付着物（成長した帆立貝及び大量の付着した雑物）は、海面から露出することで浮力を失う。その自重が大きいことから、付着物はその重量で、これをロープに保持する係止具１０１自身を破断し、付着物はロープに沿って一気に垂直に落下する。
この状態を図１９で示した。
【００１０】
ところで、この海面上で始まる付着物の落下は、下位の付着物の上に臨み、これに載ったり、触れたりして、落下した付着物の重量が下位の付着物に作用し、あたかも雪崩のように下位の付着物に伝播する。
これにより、ロープに保持された水中にある下位の付着物は、上位の付着物の落下が引き金となり、その落下、脱落を数珠繋ぎに誘発することとなる。
この結果、せっかく養殖して生育させた帆立貝が大量に失われる原因となる。
【００１１】
ところで、海面に近い垂下物、特に海面から２ｍ〜３ｍ位に配置された垂下物は、波浪の上下運動の影響を受け、ロープの上端部近くに配置されている帆立貝を支持している係止具は、係止している帆立貝が、波浪により交番的に揺すられていることから、その強度が弱っており、破断し易い。
従って、上記した水揚げ時における初期の係止具の破断、帆立貝を含む付着物の落下、雪崩現象を誘発し、生育後の帆立貝の損失の大きな原因となる。
ところで、下方の垂下物は波動の影響が少ないので、帆立貝を含む付着物は揺すられることが少なく、海中で安定して姿勢が保持されており、係止具は弱っていない。
因みに、成長後の帆立貝、雑物を含む垂下物が付着したロープは、雑物を含んで直径が２０ｃｍ〜３０ｃｍにも達し、長さが１５ｍであり、その総重量は、空中であれば約１トンにも達する。
【００１２】
本発明は、養殖後の帆立貝の水揚げ時に発生する帆立貝（帆立貝、雑物からなる付着物）の落下、これに起因する帆立貝の雪崩現象的な数珠繋ぎ的な落下の発生を防止すべくなされたものであり、水揚げ時に、海面上で始まる上位の付着物の落下が、雪崩現象のように下方の垂下物に伝播することに着目してなされたものである。
【００１３】
本発明の目的とするところは、帆立貝の養殖において、成長後の帆立貝の水揚げに際して発生する付着物（成長後の帆立貝、これに付着した雑物）の落下、これに起因する雪崩現象的な帆立貝の落下を確実に防止する。
これにより、帆立貝養殖における帆立貝の水揚げ効率を著しく向上させ、養殖帆立貝の回収効率を著しく高め、帆立貝の水揚げ効率、回収効率の向上を、簡素な手法で実現することができる帆立貝養殖水揚げ時の落下防止方法を提供する。
【課題を解決するための手段】
【００１４】
上記課題を解決するために請求項１に係る発明は、ロープに係止具を係止し、この係止具の両端部に帆立貝を係止して吊り下げて一単位の帆立貝養殖単位を構成し、この一単位の帆立貝養殖単位を多数単位ロープの長さ方向に所定間隔で係止し、このロープを海中に垂下し、帆立貝を養殖する帆立貝の養殖法において、前記帆立貝養殖単位のうち、海面に近い上位の帆立貝養殖単位の下側に、ロープの径方向外方に延びる受け部材を取り付け、帆立貝の生育後の水揚げ時に、海面から露出した上位の帆立貝養殖単位のロープからの脱落を、前記受け部材で受けるようにしたことを特徴とする。
【００１５】
水揚げ時にロープを引き上げた際、海中から露出した上位の垂下物（生育後の帆立貝及びロープに付着したイガイ、フジツボ、ホヤ等の雑物）は、その自重により係止具が破断し、落下したりしても、下側に取り付けた受け部材で受け、下位の垂下物に落下垂下物が触れたり、重なったりして影響することがない。
【００１６】
請求項２に係る発明は、請求項１において、前記海面に近い帆立貝養殖単位は、海面の波浪による上下動の影響を受け易いロープ上部の１単位または複数単位であり、この１単位、または複数単位の養殖帆立貝単位の下側に、前記受け部材を取り付けるようにしたことを特徴とする。
【００１７】
海面の波浪による上下動の影響を受け易いロープ上部の１単位、または複数単位の帆立貝養殖単位は、係止具が弱くなっており、水揚げ時に破断し易い。この帆立貝養殖単位の下側に受け部材を設けることで、最も破断し易く、落下し易い付着物を含む帆立貝養殖単位が下位の帆立貝養殖単位への落下の影響を防止することができる。
【００１８】
請求項３に係る発明は、請求項１または請求項２において、前記受け部材は、前記ロープにその断面からみてＩ形／十形に貫通・保持させたペグ、または前記ロープに取り付けられた漏斗状部材であることを特徴とする。
【００１９】
ロープにＩ形／十形にペグを取り付け、あるいは、ロープに漏斗状部材を取り付けるだけなので、簡易な手法と簡易な部材で、効果的な養殖帆立貝の水揚げ時における脱落防止効果を得ることができる。
【発明の効果】
【００２０】
請求項１に係る発明では、水揚げ時にロープを引き上げた際、海中から露出した上位の帆立貝養殖単位（生育後の帆立貝及びロープに付着したイガイ、フジツボ、ホヤ等の雑物を含む垂下物）は、浮力を喪失し、自重により係止具が破断し、落下しても、当該帆立貝養殖単位は受け部材で受けられる。
これにより、下位の帆立貝養殖単位上に、係止具が破断することで落下する当該帆立貝養殖単位が触れたり、載ったりすることを防止し、上位の帆立貝養殖単位の落下に起因する下位の帆立貝養殖単位へ影響、落下を引き金とする、数珠繋ぎ的な落下の雪崩現象を防止することができる。
【００２１】
従って、水揚げ時における帆立貝の損失の発生を可及的に防止し、効率の良い養殖帆立貝の水揚げ、回収を行うことができる。
そして、以上をロープに垂下させる帆立貝養殖単位の上位のものの下側に、ロープを介して受け部材を取り付けるだけで達成できるので、簡易な手法と、簡易な部材により、効果的な帆立貝水揚げ時の落下防止を実現することができる。
【００２２】
請求項２に係る発明では、海面の波浪による上下動の影響を受け易いロープ上部の１単位または複数単位の帆立貝養殖単位は、係止具が弱くなっている。従って、この係止具は水揚げ時に破断し易い。
落下が発生し易い帆立貝養殖単位の下側に受け部材を設けることで、最も破断し易く、落下し易い付着物を含む帆立貝養殖単位の下位のものへの落下の影響を防止することができる。
従って、海面に近い上位の帆立貝養殖単位の落下に起因する下位の帆立貝養殖単位への落下の雪崩現象を防止することができ、水揚げ時における帆立貝の損失の発生を可及的に防止し、効率の良い養殖帆立貝の水揚げ、回収を行うことができる。
【００２３】
請求項３に係る発明では、ロープにペグ、または漏斗状部材を取り付けるだけので、ペグを貫通、係止させること、漏斗状部材をロープを囲繞するように固定すること、という簡易な手法と、ペグ、漏斗状部材という簡易な部材で、効果的な養殖帆立貝の水揚げ時における脱落防止効果を得ることができる。
【図面の簡単な説明】
【００２４】
【図１】本発明の帆立貝養殖水揚げ時の落下防止法を実施するための受け部材の実施例としてのペグの一例を示し、ペグをロープに取り付けた状態を示す斜視図であり、ペグは１本通してロープ断面に対して「Ｉ」形とした例を示す。
【図２】ペグ単位の斜視図である。
【図３】上記ペグを２本とし、ロープに交差するように「十字形」に取り付けた例を示す斜視図である。
【図４】ロープに帆立貝を係止・保持させ、海中に垂下させて養殖を行う説明図で、図３に示した受け部材を用いて落下防止対策を施した状態を示す説明図である。
【図５】ペグの他の実施例の斜視図である。
【図６】海中で養殖し、ロープや帆立貝にイガイ、フジツボ、ホヤ等の雑物が経時的に付着し、成長した状態を示す説明図である。
【図７】水揚げ状態を示す説明図である。
【図８】本発明に係る帆立貝養殖水揚げ時の落下防止方法に用いる受け部材の他の実施例を示す説明的斜視図である。
【図９】図８に示した受け部材のロープへの取り付けを示す説明的斜視図である。
【図１０】ロープに帆立貝を係止・保持させ、海中に垂下させて養殖を行う説明図で、図８に示した受け部材を用いて落下防止対策を施した状態を示す説明図である。
【図１１】海中で養殖し、ロープや帆立貝にイガイ、フジツボ、ホヤ等の雑物が経時的に付着し、成長した状態を示す説明図である。
【図１２】水揚げ状態を示す説明図である。
【図１３】図８の受け部材の他の実施例の説明的斜視図である。
【図１４】図８の受け部材の更に他の実施例の説明的斜視図である。
【図１５】帆立貝養殖方法を示す図で、ロープに係止具を通し、帆立貝を係止・保持した状態を示す説明図である。
【図１６】帆立貝養殖状態を示す説明図である。
【図１７】ロープに吊り下げた帆立貝に付着物が付着した状態を示す説明図である。
【図１８】帆立貝の水揚げ状態を示す説明図である。
【図１９】帆立貝の水揚げに発生する脱落状態を示す説明図であり、本発明が解決すべき課題を説明する図である。
【発明を実施するための形態】
【００２５】
本発明の実施の形態を添付図に基づいて以下に説明する。なお、図面は符号の向きに見るものとする。
図１は、本発明の帆立貝養殖水揚げ時の落下防止法を実施するための受け部材の実施例としてのペグの一例を示し、ペグをロープに取り付けた状態を示す斜視図であり、ペグは１本とし、ロープに通してロープ断面に対して「Ｉ」形とした例を示す。
図１において１はロープであり、ロープ１はその径が６〜８ｍｍで、長さが１０〜１５ｍであり、図３に示すように７〜８ｃｍ長の係止ピンを１０〜１３ｃｍピッチでロープに貫通・保持させ、各係止ピンの両端部に帆立貝の耳片が係止・保持されている。
図では、ペグの取り付けを説明する便宜上係止ピンや帆立貝は示していない。
【００２６】
ペグ２の単体の一例は図２に示す通りである。ペグ２は合成樹脂で成形されており、強力な力を加えれば曲がる程度の屈曲性を有する。
ペグは、断面が十字形の細長いスティック状で、前半部２ａが細い十字形で、先端部２ｂがロープ１に差し込み易く鋭利とした。
ペグ２の前半部２ａは、ロープ１の太さとの兼ね合いからロープに差し込み易く、且つロープを傷めない程度であり、付着物（イガイ、フジツボ、ホヤ等の養殖時に付着する雑物）の荷重にも耐えられる程度の羽根の大きさとし、例えば、５〜１０ｍｍ位とする。
【００２７】
ペグ２の後半部２ｃは、付着物の荷重に耐えるべく羽根を広く設定し、例えば２０〜５０ｍｍ程度の径とし、図では後半部２ｃの後端部２ｄは十字形のままであるが、ロープに押し込んで差し込み、前半部２ａを貫通させるので、後端部を押し込み易いように座部等を設けて良い。例えば、ハンマー等で後端部を殴打してロープに打ち込み、貫通させるように厚手の座部を設けても良い。
ペグ２の前半部２ａの後部で、後半部２ｃの前方には、後半部方向に傾斜した抜止用ストッパ２ｆを一つの片２ｅに突設した。
【００２８】
以上のペグ２を、鋭利な先端部２ｂを先にしてロープ１の適所にロープの断面を横断するように打ち込む。
ペグ２は、前半部２ａがロープ１を貫通し、前半部の基部に設けたストッパ２ｆは順方向に傾斜しているのでロープを容易に通り、ロープ１を抜けた時点で逆向きとなり、抜け止めとなる。ペグ２の後端部２ｄは十字形で、羽根が大きく、ロープに押し込むに際し、押し込み易い。
図１は、ペグ２をロープに打ち込んで通し、ロープの断面に対して「Ｉ形」に取り付けた状態を示す。
【００２９】
図３は、ロープ１の適所に先ずペグ２−１を上記に従って押し込んで差し込み、ストッパ２ｆで抜け止めを行い、このペグ２−１の直近の下側に、上位のペグ２−１と直交するように下側のペグ２−２を押し込んで差し込み、ペグ２−１，２−２は交差してロープの断面に対して「十字形」に配置した。
図１は「Ｉ字形」、図３は「十字形」に配置したが、３本のペグ２…を「＊字形」に配置しても良い。
【００３０】
図４は、ロープに帆立貝を係止・保持させ、海中に垂下させて養殖を行う説明図で、図３に示した受け部材を用いて落下防止対策を施した状態を示す説明図である。
図で示した通り、浮きで海面下に横向き（略水平）に架設された横ロープ３に、ロープ１の上端部１ａが結束具９を介して、縦向きに吊り下げ支持されている。
ロープ１には、ロープを貫通・横断するように係止ピン４（係止具）が係止・保持されており、係止ピン４の両端部には帆立貝５の耳片５ａが貫通、係止されて保持されている、ことは上記で説明したのと同様である。
【００３１】
係止ピン４及びこれの両端部に係止、保持された帆立貝５，５で、一単位の帆立貝養殖単位６を構成する。
図４において、最上位の帆立貝養殖単位６をＡとし、二段面の帆立貝養殖単位６をＢとし、三段目の帆立貝養殖単位６をＣとし、四段目の帆立貝養殖単位６をＤとし、以下Ｅ〜とする。
各単位Ａ，Ｂ，Ｃ，Ｄ〜間のロープ長さ方向の間隔は１０〜１３ｃｍである。１０〜１３ｃｍピッチで帆立貝養殖単位が最上位から最下位まで多数ロープに係止、保持されており、海中に侵浸して帆立貝の養殖を行う。
ロープに下端部には錘８を取り付け、海底にロープを定着させる。
【００３２】
以上において、ロープ１に係止・保持された帆立貝養殖単位Ａ〜のうち、海面に近く、波浪の上下運動を受け易い最上段のものから下位のもの、例えば、実施例では、ロープ１に係止・保持された２段目の帆立貝養殖単位Ｂと、三段目の帆立貝養殖単位Ｃとの間の部位に、前記したペグ２，２を「十字形」に押し込んで固定・支持し、受け部材７を形成する。
ロープ１に「十字形」にペグ２，２を固定、支持して形成して受け部材７の上方に、上位の帆立貝養殖単位のうちの２段目の帆立貝養殖単位Ｂが臨み、帆立貝養殖単位Ｂの上に最上位の帆立貝養殖単位Ａが臨む。
【００３３】
ところで、実施例では、ロープ１の三段目の帆立貝養殖単位Ｃの下で、四段目の帆立貝養殖単位Ｄの上、つまりは、三段目の帆立貝養殖単位Ｃと、四段目の帆立貝養殖単位Ｄとの間にも、同様に前記したペグ２，２を「十字形」に押し込んで受け部材７として固定・支持した。
従って、実施例では２段に「十字形」の受け部材７，７を上下に配置したもので、二段以上の複数段に受け部材７…を配置しても良く、当然のことながら、一段でも良い。
このように、ロープに垂下、保持された多段の帆立貝養殖単位の上位のもののうち、波浪の影響を受け易く、水揚げ時に係止ピンが破断し易く、落下すると下位のものに影響を及ぼす虞のある上位の帆立貝養殖単位の直下に、受け部材７を配置する。
この状態を図４で示した。
【００３４】
図５は、ペグの他の実施例の斜視図であり、ストッパ２ｆを、十文字形の断面の前半部２ａの後部で、羽根が大きい後半部２ｃの前方の部分に幅が小さい凹部状に形成したものであり、後半部２ｃの放射状に形成された４枚の羽根２ｇ…の稜線部分を鋸歯状に山形の凹凸を設け、滑り止め部２ｈ…を形成したものである。
滑り止め部２ｈにより、脱落した雑物を含む帆立貝養殖単位の引っ掛け、支承を確実に行わせる。
ペグ２は、図示した実施例に限られず、具体的な形状は任意である。
【００３５】
図６は、図４の状態で海中で養殖し、経時的にロープや帆立貝にイガイ、フジツボ、ホヤ等の雑物が付着し、成長した状態を示す説明図である。
海中の養殖において、不可避的にロープ１に取り付け、支持された帆立貝養殖単位６…には、イガイ、フジツボ、ホヤ等の雑物１０が付着する。
雑物１０は、上下に間隔を開けて配置されている帆立貝養殖単位６…だけでなく、帆立貝養殖単位６…間のロープ周にも付着し、上下に配置されている帆立貝養殖単位６…間に、連続するように付着し、帆立貝養殖単位６…の間の部分は細くなって、連続しつつ狭窄した状態となる。
養殖後の水揚げは、図６の状態でなされる。
【００３６】
図７は、水揚げ状態を示す説明図である。
船１１の舷側１１ａに配設した巻揚機１２、巻揚ガイド１３でロープ１を巻き揚げる。ロープ１に長さ方向に連続してぶら下がった帆立貝養殖単位６…は、付着物１０…を含んで数珠繋ぎ状にロープに垂れ下がって引き上げられる。
この際、海面に近い部分の雑物１０…を含む帆立貝養殖単位６、即ち例えば、前記したＡ〜Ｃは、付着物で重量が大きくなり、且つ海面から引き上げられて浮力を失い、その自重が大きいことから、付着物、帆立貝養殖単位を含む付着物は、その重量で、係止具自身を破断し、付着物はロープから離脱し、脱落する。
【００３７】
ところで、最初に海面上に露出し、浮力が無くなり、ロープから離脱する可能性のある上位の帆立貝養殖単位、雑物を含む付着物Ａ，Ｂは、係止具が破断してロープから離脱し、落下するが、その際、直下に「十字形」のペグ２，２からなる受け部材７が取り付けられているので、これに受けられる。
従って、離脱し、落下した付着物は、下の受け部材７でその荷重が支持され、更に実施例では、直下の付着物Ｃも受け部材７で支承されている。
【００３８】
従って、付着物（帆立貝養殖単位、雑物）がロープから離脱し、落下するのを受け部材７で支持するので、一次的には、付着物の荷重を受け部材で支持して係止具の破断を防止し、ロープからの離脱を防止する。
二次的には、係止具が破断し、付着物が離脱したとしても、当該付着物を受け部材７で下から支え、たとえ、付着物がロープから落下したとしても、受け部材７によりロープに沿った落下を防止する。
【００３９】
これにより、ロープ引き上げによる水揚げ時の、ロープ上位の付着物（帆立貝養殖単位、雑物）Ａ，Ｂ、或いはこれとＣ等のロープからの離脱による下位の付着物（帆立貝養殖単位、雑物）への影響を防止することができる。
このように、水揚げ時に海面上で始まる垂下物（帆立貝養殖単位、雑物）の落下、これに起因する雪崩現象を防止することができ、養殖して生育させた帆立貝の回収効率は飛躍的に向上する。
【００４０】
図８は、本発明に係る帆立貝養殖水揚げ時の落下防止方法に用いる受け部材の他の実施例を示す説明的斜視図である。
図８において、１はロープ、４は係止具、５，５は帆立貝であり、受け部材以外の構成は、前記実施例と同じなので、詳細な説明は省略する。
【００４１】
受け部材１７は、ある程度の剛性を有する樹脂の板材で形成された逆円錐状で漏斗状である。
受け部材１７は、上方に拡開する漏斗状（鉢開き状）の本体１７ａと、絞った円形の孔を備え、ロープ１の外周を密着して囲繞する本体１７ａの下端孔部１７ｂとからなり、漏斗状本体１７ａの周壁１７ｃには、水抜き用の開口（排水開口。排水孔）１７ｄ…を有する。
【００４２】
受け部材１７は、下端孔部１７ｂを介してロープ１に通し、本体１７ａは上方に行くに従って逆円錐状に拡径し、その上端部１７ｅの最大外径は、ロープ１に吊り下げられる帆立貝養殖単位、雑物を含む付着物を支承するに必要且つ十分な外径とする。
受け部材１７は、上記と同様に上位の帆立貝養殖単位６，６の間で、下端孔部１７ｂの下の部分で、ロープ１に貫通、係止したストッパ１８でロープ１の当該位置に保持されている。
ストッパ１８は、それ自身で受け部材としての機能は不要で、漏斗状受け部材１７をロープに支承し得れば良い。
【００４３】
図９は、図８に示した受け部材１７のロープ１への取り付けを示す説明的斜視図である。
受け部材１７の基板２７は欠円状であり、基板２７には開口２７ａ…を同心円状、放射状に外径部から中心部にかけて設けてあり、中心部には後に下端孔部を構成する孔部２７ｂが形成されており、孔部２７ｂは円形の折り線２７ｃを起点として、分割された折り片２７ｄ…を備える。
孔部２７ｂをその基端部に含む外周に拡開する三角形の分割部２７ｅには、一側縁に係止フラップ２７ｆ…を径方向に所定間隔を開けて突設し、他側縁に近い部分には、係止フラップ２７ｆ…と係合する係止孔２７ｇ…を設けておく。
【００４４】
事前にロープ１の所定部位にはストッパ１８を貫通、係止しておき、拡開した基板２７の分割部２７ｅを矢印のようにロープ１を挟み込むように差し込み、折り片２７ｄを折り線２７ｃに沿って外方に折り曲げ、孔部２７ｂをロープ１に臨ませ、基板２７を漏斗状に曲げる。
爾後、係止フラップ２７ｆ…を対応する係止孔２７ｇ…に係合させ、漏斗状に組まれた状態を保持し、受け部材１７を得る。
【００４５】
図１０は、ロープに帆立貝を係止・保持させ、海中に垂下させて養殖を行う説明図で、図８に示した受け部材を用いて落下防止対策を施した状態を示す説明図であり、図１１は、図１０において、帆立貝を海中で養殖し、ロープや帆立貝にイガイ、フジツボ、ホヤ等の雑物が経時的に付着し、成長した状態を示す説明図である。
この図は、前記した図４及び図６と対応し、受け部材１７以外の構成は前記と同一なので、同一の部材には同一符号を付して詳細な説明は省略する。
【００４６】
ロープに係止、保持された帆立貝養殖単位６…は、実施例では上位の２つの単位Ａ，Ｂの下に漏斗状の受け部材１７が配設されており、実施例では受け部材は１箇所とした。受け部材１７は、上方に拡開した逆円錐状で漏斗状なので、カップで帆立貝養殖単位Ｂを支承するような状態となる。
図１１のように、前述のように養殖後においては雑物が付着した状態となり、受け部材１７上の帆立貝養殖単位、雑物１０からなる受け部材１７は、上の付着物Ｂを下からカップ状に漏斗で支承することとなり、支承を確実、安定して行う。
【００４７】
従って、図１２のように、水揚げ時における付着物の大きな荷重は漏斗状カップからなる受け部材１７で支承され、付着物（帆立貝養殖単位、雑物）がロープから離脱し、落下するのを受け部材で支持するので、係止具の破断を防止し、付着物のロープからの離脱を防止するか、離脱があったとしても、受け部材１７でロープに沿った落下を防止する。
ロープに沿った付着物の落下は阻止される。
これにより、上記した実施例と同様に、ロープ引き上げによる水揚げ時の、上位の付着物（帆立貝養殖単位、雑物）Ａ，Ｂのロープからの離脱による下位の付着物（帆立貝養殖単位、雑物）への影響を防止することができる。
このように、水揚げ時に海面上で始まる垂下物（帆立貝養殖単位、雑物）の落下、これによる雪崩現象を防止することができ、養殖して生育させた帆立貝の回収効率は飛躍的に向上する。
【００４８】
図１３は、図８の受け部材の他の実施例の説明的斜視図である。
本実施例は、受け部材３７を逆円錐形の漏斗状のカップとし、図８の実施例と異なり、漏斗状のカップを樹脂で一体に成形した構造である。
周壁に水抜き用開口部３７ｃ…を設けた漏斗状カップ本体３７ａの下端部には、絞った環状のリング部３７ｂを備え、リング部３７ｂの内径はロープ１の密に嵌合する径が好ましい。
ロープ１にはストッパ１８を貫通、係止し、ストッパ１８でリング部３７ｂの下端部を支持する。
【００４９】
図１４は、図８の受け部材の更に他の実施例の説明的斜視図である。
本実施例は、受け部材４７を、放射状に、斜めに広がるように骨部材を拡開するように構成したものである。
厚肉でリング状のリング基部４７ａの外周、または上端部から径方向外方、且つ斜め上方に複数の棒状部材４７ｂ…を突出させ、手を開いて窄めた状態のような形態とし、実施例では６本の棒状部材４７ｂ…を備える。
リング基部４７ａをロープ１に通し、リング基部４７ａの下端部にロープ１に通したストッパ１８を臨ませるものである。
【００５０】
以上の、実施例においても、図８の実施例の受け部材と同様の作用、効果を奏するものである。
要すれば、形態的に漏斗状、或いはこれと類似する形態であって、帆立貝養殖単位、雑物からなる付着物をカップ状の形態で支承すれば良く、具体的な構造は任意である。
【００５１】
以上、ペグ、漏斗状カップの実施例による受け部材を用いた例を示したが、受け部材は上記した例に限られず任意であり、要すれば、帆立貝養殖後に付着する雑物を含む付着物を下から支承し得れば良く、受け部材の具体的構造は任意である。
【００５２】
尚、実施例の説明では受け部材の装着を、帆立貝養殖単位を取り付ける以前、或いは帆立貝養殖単位の取り付けた直後としたが、帆立貝養殖単位を多段に亘り取り付け、海中に臨ませて雑物の付着程度を観察しながら、付着物が増殖する傾向を見極めてから、受け部材を取り付けても良い。
この場合、帆立貝養殖単位への雑物の付着、雑物の生育が未熟状態なので、この時点でロープを引き上げたとしても、上位の帆立貝養殖単位、雑物は未だ軽く、係止具の破断等の事態は発生しない。
【産業上の利用可能性】
【００５３】
本発明は、帆立貝の養殖において、その水揚げの際に利用することができる。
【符号の説明】
【００５４】
１…ロープ、  ４…係止具、  ５…帆立貝、  ６…帆立貝養殖単位、  ７，２７，３７，４７…受け部材、  ２…ペグ、  １７，２７，３７，４７…漏斗状部材、  Ａ，Ｂ…上位の帆立貝養殖単位。
【図１】
2011083221.tif 000003
【図２】
2011083221.tif 000004
【図３】
2011083221.tif 000005
【図４】
2011083221.tif 000006
【図５】
2011083221.tif 000007
【図６】
2011083221.tif 000008
【図７】
2011083221.tif 000009
【図８】
2011083221.tif 000010
【図９】
2011083221.tif 000011
【図１０】
2011083221.tif 000012
【図１１】
2011083221.tif 000013
【図１２】
2011083221.tif 000014
【図１３】
2011083221.tif 000015
【図１４】
2011083221.tif 000016
【図１５】
2011083221.tif 000017
【図１６】
2011083221.tif 000018
【図１７】
2011083221.tif 000019
【図１８】
2011083221.tif 000020
【図１９】
2011083221.tif 000021